(57)【要約】      （修正有）【課題】顔面の防寒および日除けの対策としてシートで顔面を覆う際、顔面を覆ったシートが顔面から容易にずり落ちることがないことを目的にした防寒および日除け補助具を提供する。【解決手段】左右の防寒および日除け補助具（耳フック）３の挟着部をシート４上辺に顔幅程度の間隔で挟着し、シート４で顔面を覆いながらこの防寒および日除け補助具（耳フック）３の耳フック部をメガネを掛けるような要領で耳５に掛ける。顔面に固定したシート４を一時的に取外したい時は耳５に掛けている耳フック部を耳５から外す。外した防寒および日除け補助具は小型、軽量なのでそのままシート４に挟着したままにすることができる。再びシート４を顔面に覆いたい時はシート４に挟着された左右の防寒および日除け補助具（耳フック）３の耳フック部２を上述と同様に耳５に掛ければよい。【選択図】図５
0003145689.tif 000002
【実用新案登録請求の範囲】
【請求項１】
顔面を覆うシートを顔面に固定する為の防寒および日除け補助具であって、耳フック部と挟着部とから構成され、前記挟着部は前記シートに挟着するものであり、かつ、前記耳フック部の一端に固着され、前記耳フック部の前記挟着部が固着されていない他端は、前記顔面の耳に掛かるよう湾曲していることを特徴とする防寒および日除け補助具。
【請求項２】
請求項１記載の防寒および日除け補助具を２コ具備し、前記シートと前記顔面の口との間に空間を大きく設けるため、前記シートに挟着する鼻パッド挟着部と、前記顔面の鼻に内接する鼻パッド内接部各１コから成る鼻パッドを具備することを特徴とする防寒および日除け補助具。
【考案の詳細な説明】
【技術分野】
【０００１】
本考案は特に寒い時に自転車等に乗る人の為の簡単かつ有効的な顔面への防寒、および日差しの強い時に顔面の日除けとして使用するための防寒および日除け補助具に関する。
【背景技術】
【０００２】
冬の寒い日に自転車に乗車しているととても寒く、苦痛である。そこで人々は頭に帽子、首にマフラー、胴体にジャンパー等の暖かいアウター、下肢にパンツ、足に靴下、靴。それぞれ厚いものを着用するなどして寒さをしのいでいる。
【０００３】
しかしながら大半の人は顔を覆う方法に困っている。冬季に自転車に乗る者にとって顔面に受ける冷風は耐え難いものがあり、これを解決することが昨今望まれるものである。
【０００４】
一般的に顔面を覆う方法としては、首に巻くマフラーを顔面にも巻く方法があるが、きつく巻いたりしなければすぐにマフラーが顔面からずり落ちてしまい不便なものであった。
【０００５】
また、筒状の布製のネックウォーマーにより覆う方法もあるが、一般的にネックウォーマーは首を覆うものなので、それで顔面を覆おうとすると後頭部できつく締めたりする等の策を講じなければ顔面からずり落ちてしまう。
【０００６】
さらに、風邪、花粉症に使用する一般的な白いマスクを着用するという方法も挙げられるが、風邪でも花粉症でもないのにマスクを着用するのは抵抗があり、外見面からみるとあまり格好のいいものではない。また、これらは顔全体を覆える訳ではないので、顔面の防寒対策としては有効な方法とは言えない。
【０００７】
また、スキーやオートバイ用に顔を覆うことのできるフェイスマスクが市販されているが、スキー等のスポーツ中やオートバイ乗車時の万全な防寒対策としては有効であるが、これらを通勤、通学時等の日常に着用するのには不便であり、手軽な手段とは言えない。
【０００８】
一方、日差しの強い時に外出する際は紫外線による肌トラブルが問題となる。有害な紫外線を大量に浴びると皮膚表面の細胞の障害や、皮膚の老化、皮膚ガンの原因にもつながると言われている。
【０００９】
従来の一般的な日除け手段としては、日傘をさす、つばの広い帽子をかぶる、首筋も覆えるような襟のある服を着る、等が挙げられる。
【００１０】
しかし、これらでは上方からの直射日光への日除け効果はあるが、地面からの照り返し等による顔面への日除け効果は十分とは言えない。
【００１１】
なお、上記に記したような既知の技術には次のようなものがある。（特許文献１）メガネに布を引っ掛けて顔面を覆う方法だが、メガネを掛けなければならない。（特許文献２）スキー用防寒マスクだが、これを通勤、通学等の日常のシーンで使用するには抵抗があり、手軽でない。
【特許文献１】特開２００７−２７７７８１号公報
【特許文献２】特開８−８９６１６号公報
【考案の開示】
【考案が解決しようとする課題】
【００１２】
そこで本考案は、上述する既存の顔面への防寒対策および、日除け対策が有する課題を解決するために提案されるもので、日常首に巻いているマフラーやスカーフ等のシートを用いて顔面を覆うことが可能で、また、シートを容易に着脱することが可能である防寒および日除け補助具を提供しようとするものである。
【課題を解決するための手段】
【００１３】
本考案の防寒および日除け補助具（耳フック）３は、耳フック部２の一端にシート４へ挟着できる挟着部１が固着され、他端は耳５に掛ける為に湾曲せしめた形状を持つものである。
【００１４】
また、防寒および日除け補助具（鼻パッド）８はシート４に挟着するための鼻パッド挟着部６と、鼻９に内接されるようにおおよそ半円筒状に湾曲し、鼻９を高くするように機能する鼻パッド内接部７から構成される。
【００１５】
左右の防寒および日除け補助具（耳フック）３の挟着部１をシート４上辺に顔幅程度の間隔で挟着し、シート４で顔面を覆いながらこの防寒および日除け補助具（耳フック）３の耳フック部２をメガネを掛けるような要領で耳５に掛ける。これにより、顔面を覆ったシート４は顔面からずり落ちることがないため、顔面への冷風、および日差しを遮断することが可能である。
【００１６】
また、シート４と口１０との空間を大きく設けるため、防寒および日除け補助具（鼻パッド）８はシート４の上辺に挟着された２コの防寒および日除け補助具（耳フック）３の中間位置に鼻パッド挟着部６により挟着され、鼻パッド内接部７が鼻９に内接される。
【考案の効果】
【００１７】
本考案の防寒および日除け補助具（耳フック）３はマフラーを主とするシート状のものに挟着部１を挟着し、もう一方の湾曲せしめた耳フック部２を耳５に掛けて顔面を覆うことにより顔面にかかる冷風、および日差しを遮断することができ、顔面の防寒対策、日除け対策として有効なものである。
【００１８】
また、シート４は容易に顔面より着脱可能であり、外した後、再び固定したい場合も容易に固定することができる。日常的な自転車乗車の場面などでは、前方から顔面に受ける冷風を遮断するのにとても有効なものである。
【考案を実施するための最良の形態】
【００１９】
防寒および日除け対策のためにマフラー、スカーフ等のシート４を顔面に覆う際、容易にシート４を顔面に固定でき、また、容易に着脱することを可能にした。
【実施例】
【００２０】
図１は本考案（耳フック）３の斜視図であり、挟着部が開いた状態を示す図である。
図２は本考案（耳フック）３の斜視図であり、挟着部が閉じた状態を示す図である。
１はシート４を挟着することのできる挟着部１であり、シート４を挟着することが可能ならば、挟着の方法はいかなる方法も可能である。挟着部１は図１と図２のように開いたり閉じたりすることが可能である。
２は耳５に掛けることのできる耳フック部２であり、耳５の形に合わせて形状を変化させることが可能であり、セットした形状が維持可能で比較的軟質な材料から成る線である。また、滑り止め、もしくは、耳５へのフィット感向上のために樹脂（ゴムを含む）等でコーティングすることもある。
【００２１】
図３は本考案（鼻パッド）８の斜視図であり、鼻パッド挟着部６が開いた状態を示す図である。
図４は本考案（鼻パッド）８と鼻９の斜視図であり、鼻パッド挟着部６が閉じた状態を示す図である。
６はシート４を挟着することのできる鼻パッド挟着部６であり、シート４を挟着することが可能ならば、挟着の方法はいかなる方法も可能である。鼻パッド挟着部６は図３と図４のように開いたり閉じたりすることが可能である。
７は鼻９に接する鼻パッド内接部７であり、おおよそ半円筒形状で軟質な材料から成る。半円筒形状の内側に鼻９が内接し、これにより本考案（鼻パッド）８は鼻９を高くする事と同様の効果がある。よってシート４が鼻９周辺で前に張り出されるため、鼻９の直下の口１０とシート４との間に空間をより広く確保することが可能である。
【００２２】
図５は本考案（耳フック）３をシート４に相当するマフラーに挟着して使用した実施例である。
一般的なマフラーの首への巻き方でマフラーを首に巻き、適当な位置で、顔の幅程度に間隔をあけて左右耳用の本考案（耳フック）３をマフラー生地の上辺に狭着部１を介して挟着する。そして、本考案（耳フック）３の耳フック部２をメガネを掛ける要領で耳５に掛ける。これにより、顔面の眼の下をマフラーで覆うことができ、また、顔面を覆ったマフラーは本考案（耳フック）３により頭を動かしても顔面からずり落ちることはなく、容易に顔面を冷風から防護することができる。
【００２３】
図６は本考案（耳フック）３と本考案（鼻パッド）８を使用してマフラーを顔面に固定したところの側面図である。
本考案（耳フック）３を固定した際、眼の下から覆われたシート４は鼻９により前方に張り出されるため、その直下の口元に空間を確保することが可能である。しかしながら、鼻９の高い低いは人それぞれであり、人によっては口元の空間が狭くなり息苦しさを感じる場合がある。これを回避するため本考案（鼻パッド）８が有用である。マフラーの上辺に挟着された２コの本考案（耳フック）３の中間位置でマフラー上辺に鼻パッド挟着部６を介して本考案（鼻パッド）８を挟着する。そして、鼻パッド内接部７を鼻９に固定する。これにより鼻９が高くなった事と同様の効果があり、その結果、口元に大きく空間を確保することが可能である。
【００２４】
また、マフラーの代わりにシート４として、スカーフやハンカチ、手拭い等を使用し、
上述のマフラーを使用した場合と同様に本考案（耳フック）３および本考案（鼻パッド）８を用いて顔面に固定することにより、顔面の防寒だけでなく、夏季などの日差しの強い場面において顔面への日除けとしての効果がある。
なお、シート４は多種多様の柄のものが使用可能である。
【００２５】
本考案の対象となるシート４へ挟着する挟着部１、鼻パッド挟着部６の挟着手段としては多種多様あり、髪の毛を留めるトップピン式、湾曲した板バネ式、コイル状のバネ式、ゼムクリップ式、樹脂の弾性によるクリップ式、金属の弾性によるクリップ式、磁石を使用して挟むクリップ式、シートを貫通して固定する方式等が挙げられる。
【００２６】
本考案の対象となる耳フック部２にはセットした形状が維持可能な比較的軟質な材料から成る線が使用されるが、日常使用において形状を維持することができる材料であればいかなる材料も用いられる。例えば、金属、樹脂、木材等が挙げられる。
【００２７】
本考案の対象となるシート４は実施例ではマフラーだが、シート４には多種多様あり、マフラーをはじめ、スカーフ、ハンカチ、バンダナ、手拭い、風呂敷、タオル、等の布製シート、樹脂製シート、皮製シート等が挙げられる。
【００２８】
上述の防寒および日除け補助具（耳フック）３は一方をシート４に挟着し、もう一方を耳５に掛けることにより、マフラー等のシート４で顔面を覆う事が可能である。さらに容易に着脱可能であり、シート４が顔面からずり落ちないという効果がある。
また、防寒および日除け補助具（鼻パッド）８は、一方をシート４に挟着し、もう一方を鼻９に乗せて鼻９を高くさせるような効果を持たせ、これによりシート４が前方により一層張り出され、口元の空間を広く確保することが可能となるものである。
【００２９】
防寒および日除け補助具は軽量、コンパクトなため、シート４を顔面から外した際に、防寒および日除け補助具をシート４に挟着したままにしておいても邪魔にならない。そのため、一時的にシート４を外し、後に再びシート４を顔面に固定するような場合は、防寒および日除け補助具をシート４に挟着するという操作が省略されるため、容易にシート４を顔面に固定することが可能であるという特徴を持つ。
【産業上の利用可能性】
【００３０】
本考案を使用してシート４を顔面に固定する事により、顔面への防寒対策、および日除け対策として利用することが可能である。
【図面の簡単な説明】
【００３１】
【図１】本考案（耳フック）３の斜視図であり、挟着部１が開いた状態を示す図
【図２】本考案（耳フック）３の斜視図であり、挟着部１が閉じた状態を示す図
【図３】本考案（鼻パッド）８の斜視図であり、鼻パッド挟着部６が開いた状態を示す図
【図４】本考案（鼻パッド）８と鼻９の斜視図であり、鼻パッド挟着部６が閉じた状態を示す図
【図５】本考案（耳フック）３をマフラーに固定したところの斜視図
【図６】本考案（耳フック）３と（鼻パッド）８をマフラーに固定したところの側面図
【符号の説明】
【００３２】
１    挟着部
２    耳フック部
３    防寒および日除け補助具（耳フック）
４    シート
５    耳
６    鼻パッド挟着部
７    鼻パッド内接部
８    防寒および日除け補助具（鼻パッド）
９    鼻
１０    口
【図１】
0003145689.tif 000003
【図２】
0003145689.tif 000004
【図３】
0003145689.tif 000005
【図４】
0003145689.tif 000006
【図５】
0003145689.tif 000007
【図６】
0003145689.tif 000008